(57)【要約】【課題】インターネット上で閲覧できる地図に観光情報の位置情報を登録させた観光地図を作製する地図作製サービスにおいて、利用者が観光情報を理解しながら選択でき、前記選択に際して他の観光情報も注目させることのできる観光情報選択方法を提供する。【解決手段】インターネット上で閲覧できる地図に観光情報の位置情報を登録させた観光地図を作製する地図作製サービスに用いる観光情報選択方法であって、観光情報の位置情報に対応した位置の写真又は動画に説明のテキストを付した選択ボタン21が並べられた選択画面を構成し、表示させた選択画面から利用者に特定の選択ボタン21を選択させると前記選択ボタン21の観光情報の紹介画面を表示し、前記観光情報の位置情報を地図に登録させる登録ボタンを利用者に選択させる観光情報選択方法である。【選択図】図１
2018159820.tif 000002
【特許請求の範囲】
【請求項１】
インターネット上で閲覧できる地図に観光情報の位置情報を登録させた観光地図を作製する地図作製サービスに用いる観光情報選択方法であって、
観光情報の位置情報に対応した位置の写真又は動画に説明のテキストを付した選択ボタンが並べられた選択画面を構成し、表示させた選択画面から利用者に特定の選択ボタンを選択させると前記選択ボタンの観光情報の紹介画面を表示し、前記観光情報の位置情報を地図に登録させる登録ボタンを利用者に選択させる観光情報選択方法。
【請求項２】
選択画面は、正方形又は長方形の写真又は動画に説明のテキストを付して表示する選択ボタンを隙間なく並べて構成される請求項１記載の観光情報選択方法。
【請求項３】
選択画面は、観光情報を分類する階層化されたカテゴリに対応して階層化され、上位カテゴリの観光情報の選択ボタンを並べた上位選択画面で特定の選択ボタンを選択すると、下位カテゴリの観光情報の選択ボタンを並べた下位選択画面が表示され、最下位より一つ上のカテゴリの観光情報の選択ボタンを並べた最下位直前選択画面で特定の選択ボタンを選択すると前記選択ボタンの観光情報の紹介画面を表示する請求項１又は２いずれか記載の観光情報選択方法。
【発明の詳細な説明】
【技術分野】
【０００１】
本発明は、インターネット上で閲覧できる地図に観光情報の位置情報を登録させた観光地図を作製する地図作製サービスに用いる観光情報選択方法に関する。
【背景技術】
【０００２】
インターネット上で閲覧できる地図に観光情報の位置情報を登録させた観光地図を作製する地図作製サービスが提供されている（特許文献１）。特許文献１は、複数の利用者（ユーザ）より収集した旅行情報データから複数の観光情報（目的地情報）を選択させ、前記観光情報の位置情報を地図に登録（マッピング）させて作製した観光地図を表示させるカスタマイズ型旅行情報提供方法を開示する。特許文献１が開示するカスタマイズ型旅行情報提供方法は、複数の観光情報の位置情報を結ぶ移動経路情報も地図に登録させる（特許文献１・［請求項１］ほか）。
【先行技術文献】
【特許文献】
【０００３】
【特許文献１】特開2015-109060号公報
【発明の概要】
【発明が解決しようとする課題】
【０００４】
特許文献１が開示するカスタマイズ型旅行情報提供方法は、観光情報を利用者にどのように選択させるか、具体的な方法を明示していない（特許文献１・［0038］参照）。多種多様な観光情報をどのように選択させるかは、観光地図を作製させる地図作製サービスの良否を左右する重要なものである。最も簡易には、観光情報を並べた選択画面を表示し、前記選択画面で利用者に目的の観光情報を選択させる観光情報選択方法が考えられる。こうした従来の観光情報選択方法は、観光情報に関連する写真も併せて掲載されることもあるが、観光情報を代表する名称が主体のテキスト（例えば観光地名）であることが多い。
【０００５】
しかし、テキストが主体である観光情報を並べた選択画面は、観光情報の内容が分かりにくく、選択する際の判断に寄与する観光情報が少ない問題がある。また、テキストが主体である観光情報を並べた選択画面は、前記テキストを読む必要から、選択した観光情報以外に利用者の注意が及ばず、多くの観光情報への注目が低下する。そこで、インターネット上で閲覧できる地図に観光情報の位置情報を登録させた観光地図を作製する地図作製サービスにおいて、利用者が観光情報を理解しながら選択でき、前記選択に際して他の観光情報も注目させることのできる観光情報選択方法を検討した。
【課題を解決するための手段】
【０００６】
検討の結果開発したものが、インターネット上で閲覧できる地図に観光情報の位置情報を登録させた観光地図を作製する地図作製サービスに用いる観光情報選択方法であって、観光情報の位置情報に対応した位置の写真又は動画に説明のテキストを付した選択ボタンが並べられた選択画面を構成し、表示させた選択画面から利用者に特定の選択ボタンを選択させると前記選択ボタンの観光情報の紹介画面を表示し、前記観光情報の位置情報を地図に登録させる登録ボタンを利用者に選択させる観光情報選択方法である。観光情報は、紹介画面で利用者が登録ボタンを押せば、地図に位置情報を登録される。
【０００７】
観光情報は、観光地、飲食店やお土産店、美術館や博物館、観光行事（お祭りや特定イベント）等の場所又は中心地を位置情報として地図に登録できるものである。選択ボタンとなる写真又は動画は、観光情報の位置における風景写真又は風景動画や店内外写真又は店内外動画で、360度のパノラマ写真やライブ動画を含む。選択ボタンは、観光情報毎に写真又は動画の種類が異なってもよい。選択ボタンに付す説明のテキストは、写真又は動画が表す観光地名、店名、館名又は行事開催地名等や、観光情報を理解させる説明や宣伝等である。説明のテキストは、選択ボタンの写真又は動画の枠外に付してもよいが、選択ボタンの写真又は動画の枠内に付せば、選択ボタンを密に並べることができる。
【０００８】
選択ボタンの形状は自由である。しかし、隣り合う選択ボタンに隙間が形成されると、選択ボタンを並べる表示領域が大きくなったり、選択した選択ボタンの写真又は動画しか利用者の目に入らなくなったりする。これから、選択画面は、正方形又は長方形の写真又は動画説明のテキストを付して表示する選択ボタンを隙間なく並べて構成される方が好ましい。正方形又は長方形の写真又は動画の選択ボタンは、大きさが異なってもよい。具体的には、上下方向にスクロールする選択画面に設定される選択ボタンの表示領域を上下方向に複数段に分割し、各段を左右方向に分割して並べた画像又は動画を選択ボタンとする構成を例示できる。
【０００９】
選択画面は、観光情報を分類する階層化されたカテゴリに対応して階層化され、上位カテゴリの観光情報の選択ボタンを並べた上位選択画面で特定の選択ボタンを選択すると、下位カテゴリの観光情報の選択ボタンを並べた下位選択画面が表示され、最下位より一つ上のカテゴリの観光情報の選択ボタンを並べた最下位直前選択画面で特定の選択ボタンを選択すると前記選択ボタンの観光情報の紹介画面を表示するとよい。階層化されたカテゴリ相互の関係は、同一種類（例えば上位カテゴリ：中華＞下位カテゴリ：ラーメン）又は異種類（例えば上位カテゴリ：Ａエリア＞下位カテゴリ：お土産店）のいずれでもよい。
【発明の効果】
【００１０】
本発明の観光情報選択方法は、観光情報の選択に際し、写真又は動画から観光情報の概略を確認して選択ボタンを選択でき、選択した観光情報の詳細はそれぞれの紹介画面から確認できる。このとき、テキストより情報量の多い写真又は動画から構成される選択ボタンは、観光情報をよりよく認識させる。そして、選択ボタンは、前記写真又は動画に説明のテキストが付されているため、選択ボタンを選択する段階で、写真又は動画と説明のテキストとが相俟って、間違えることなく目的の選択ボタンを選択するために必要な観光情報を利用者に提供できる。
【００１１】
正方形又は長方形の写真又は動画に説明のテキストを付して表示する選択ボタンを隙間なく並べた選択画面は、選択された選択ボタンに隣り合う選択ボタンの写真又は動画も利用者の目に入ることから、選択された選択ボタン以外の観光情報も利用者に認識されやすくなる。特に、隣り合う選択ボタンの写真又は動画の種類が異なれば（例えば写真と動画とが並ぶ）、見え方の異なる選択ボタンが並ぶことになり、選択した選択ボタンの隣の選択ボタンである写真又は動画の観光情報も利用者によりよく認識される。
【００１２】
観光情報を分類する階層化されたカテゴリに対応して階層化された選択画面は、選択ボタンを選択して上位カテゴリの選択画面から下位カテゴリの選択画面に移動することにより、観光情報を絞り込ませることができる。また、観光情報を分類する階層化されたカテゴリに対応して階層化された選択画面は、同じカテゴリの選択ボタンの写真又は動画が並ぶことにより、何のカテゴリで選択ボタンがまとめられているかを直感的に理解される利点がある。理解されにくいカテゴリは、特徴的な写真又は動画を表示する選択ボタンを、他の選択ボタンより大きくすれば、理解されやすくなる。
【図面の簡単な説明】
【００１３】
【図１】本発明が利用される地図作製サービスを提供するホームページのトップページである。
【図２】メニューボタンを押して表示されるメニューページである。
【図３】選択されたエリアの選択画面を表すエリアページである。
【図４】選択された店舗の観光情報の紹介画面を表す店舗ページである。
【図５】選択された店舗の観光情報の紹介画面を表す店舗ページである。
【図６】選択された店舗の観光情報の紹介画面を表す店舗ページである。
【図７】メニューページから移動した地図閲覧ページである。
【発明を実施するための形態】
【００１４】
以下、本発明を実施するための形態について図を参照しながら説明する。本発明の観光情報選択方法は、インターネット上のホームページやパソコン又は携帯端末１（スマートフォンやタブレット）等のアプリケーション又はアプリとして提供される地図作製サービスに組み込まれて利用される。選択した観光情報の各種データや作成された地図データは、インターネット上のサービス提供サーバ等に保存され、パソコン又は携帯端末１を使ってインターネット上で観光地図を閲覧する。本例は、インターネット上のホームページにより提供される地図作製サービスの場合を説明する。
【００１５】
例えば携帯端末１でインターネット上のホームページにアクセスすると、図１に見られるように、上位カテゴリに分類された広域エリアの選択画面からなるトップページ２が携帯端末１の表示画面11に表示される。本例のトップページ２は、広域エリアを代表する写真を選択ボタン21として並べた選択画面を構成している。本例の広域エリアは、観光地の中心となる都市又は地域である。トップページ２は、上下方向にスクロールすることにより、携帯端末１の表示画面11を超えて多数の選択ボタン21が表示される。
【００１６】
トップページ２の選択画面を構成する選択ボタン21は、広域エリアを代表する写真に対して、前記写真の左上に表示される広域エリア名211と、前記写真の下に表示される広域エリアの特徴212とがテキストで表示される。写真は、選択ボタン21を並べる範囲を左右に等分した横長の長方形である。また、広域エリア名211や広域エリアの特徴212は、写真の内側に収められている。これにより、選択ボタン21は、左右に２個ずつ、上下に隙間なくタイル状に並べることができ、選択画面全体に写真が並んだように見える。
【００１７】
本例のトップページ２は、ページ名22として「トップメニュー」を表示画面11の左下に、メニューボタン12を表示画面11の中央下に表示している。ページ名22やメニューボタン12は、選択画面をスクロールしても常に同じ表示画面11の位置に表示される。メニューボタン12は、図２に見られるメニューページ３へ移動するボタンである。メニューページ３は、トップページ２に戻る移動ボタ31ン、作成された観光地図61（後掲図７参照）の閲覧ボタン32、モデルコースの選択ボタン33や選択画面に表示させるジャンルの選択ボタン34等が配置された操作画面である。モデルコースは、お勧めの観光情報が予め登録された観光地図で、利用者に観光情報を追加又は削除させる。表示させるボタンの種類は、サービスの内容に応じて増減できる。メニューボタン12は、後述するように、他の選択画面であるエリアページ４、店舗ページ５や地図閲覧ページ６でも常時表示されるが、メニューページ３では操作不能を表すため、「×」表示している。
【００１８】
トップページ２において、特定の選択ボタン21（例えば広域エリア名「倉敷」）を押すと、図３に見られるように、中位カテゴリとして前記広域エリアに含まれる中域エリアの観光情報の写真に説明のテキストを付した選択ボタン43が並べられた選択画面のエリアページ４に移動する。本例のエリアページ４は、広域エリア名41（例えば「倉敷」）が表示画面11の左下に、選択された広域エリアに含まれる中域エリア名42（例えば「倉敷美観地区」）が表示画面11の右下にそれぞれ表示される。また、メニューボタン12が表示画面11の中央下に表示される。広域エリア名41、中域エリア名42及びメニューボタン12は、選択画面がスクロールされても常に同じ表示画面11の位置に表示される。
【００１９】
同一広域エリアに含まれる別の中域エリアのエリアページに移動する場合、例えばメニューボタン12を押してメニューページ３（図２参照）に移り、メニューページ３に表示される別の特定エリアを選択し、前記別の特定エリアの選択画面である別のエリアページに移動することもできる。この場合、メニューページ３は、移動元の画面に応じて選択できる中域エリアの選択ボタンを変えるとよい。このほか、本例の地図作製サービスは、ホームページにより提供されていることから、例えばブラウザの戻るボタン13を利用して、一つ前に表示されていた画面、すなわち上位カテゴリのトップページや、直前に表示されていた別の中域エリアのエリアページに移動することもできる。
【００２０】
本例のエリアページ４は、中域エリアとして、中域エリアに含まれる観光情報の写真を選択ボタン43としている。中域エリアが広い場合、更に下位カテゴリの狭域エリアを選択する選択画面に移動するようにしてもよい。観光情報をカテゴリ分けする階層数は、観光情報を束ねるエリアの範囲に応じて設定される。本例は、広域エリア及び中域エリアのエリア選択の２階層に、前記中域エリアに含まれる観光情報を選択する１階層を加えた３階層のカテゴリ分けをしている。
【００２１】
本例のエリアページ４の選択画面を構成する選択ボタン43は、中域エリアに含まれる観光情報の場所又は中心地の写真に対して、前記写真の左上に表示される観光情報名431と、前記写真の下に表示される観光情報の特徴432とがテキストで表示される。観光情報は、写真を主体として観光情報名431及び観光情報の特徴432を小さく表示することにより、視覚的な写真を強調して興味を惹いている。エリアページ４の選択ボタンに用いている写真は、選択ボタンを並べる範囲を左右に等分した正方形である。観光情報名431や観光情報の特徴432は、写真の内側に収められている。
【００２２】
これにより、選択ボタン43は、左右に２個ずつ、上下に隙間なくタイル状に並べることができ、選択画面全体に写真が並んだように見える。そして、トップページ２及びエリアページ４の選択画面は、写真からなる選択ボタン43を隙間なく並べる外観を同じにすることで、操作性の統一感を図っている。本例のエリアページ４は、選択ボタン43を並べる範囲の幅に合わせた360度のパノラマ写真からなる選択ボタン44も並べている。パノラマ写真からなる選択ボタン44は、大きく表示することで、他の選択ボタン43に比べて注意を引きやすく、例えばお勧めの観光情報に用いるとよい。また、パノラマ写真からなる選択ボタン44は、表示画面11でのスワイプ操作により見える方向を変化させることができ、例えば店舗内を360度見渡せるようにする。
【００２３】
エリアページ４の選択ボタン43として並べる写真の観光情報は、予めサービス提供者が選定しておく。しかし、利用者が特定分野の観光情報に絞り込みを掛けたい場合、例えば同じエリアページに特定分野毎の絞り込みボタンを設け、前記絞り込みボタンを選択することにより、エリアページ４の選択ボタン43として並べる写真の観光情報を特定分野毎に絞り込ませるようにしてもよい。また、観光情報をキーワード検索できるように、検索ボタンを設け、検索ページに移動できるようにしてもよい。
【００２４】
エリアページ４において、例えば特定の選択ボタン44（例えば中央のパノラマ写真）を押すと、図４〜図６に見られるように、観光情報に対応する店舗を説明する紹介画面からなる店舗ページ５に移動する。店舗ページ５は、店舗の内外や特徴を表す写真51（図４参照）や紹介文52（図６参照）、位置情報としての地図53、店舗の営業案内54（住所、電話番号、営業時間、定休日、駐車場の有無、アクセス方法、図５参照）のほか、店舗（観光情報）の位置情報を地図に登録させる登録ボタン55を表示させる（図６参照）。登録ボタン55は、本例のように、位置情報の登録又は解除を選択できるチェックボックスでもよい。
【００２５】
観光情報の位置情報が登録された観光地図61は、トップページ２、エリアページ４又は店舗ページ５いずれにも表示されるメニューボタン12を押して移動するメニューページ３から閲覧ボタン32を押して地図閲覧ページ６に移動して、閲覧できる（図７参照）。メニューボタン12は、地図閲覧ページ６にも表示され、地図閲覧ページ６からメニューページ３に移動することにより、トップページ２に再び移動できる。また、本例の地図作製サービスは、ブラウザを介してインターネットサービスであることから、前記ブラウザの戻るボタン13により一つ前のページに移動することもできる。
【００２６】
本例の観光地図61は、図7に見られるように、選択されたエリアのうち、登録された観光情報を含む範囲を、地図閲覧ページ６に表示する。観光地図61は、表示画面11でのスワイプ操作により、上下左右いずれの方向にもずらして表示することができ、また表示画面でのピンチ操作により、拡大表示又は縮小表示できる。本例の観光地図61は、下方に針が突出した赤丸の中心に黒丸を表示する位置情報ピン62が、登録された観光情報の位置情報に合わせて表示される。位置情報ピン62は、観光情報を表示する店舗ページ等に移動するボタンを兼ねている。
【符号の説明】
【００２７】
１  携帯端末
11  表示画面
12  メニューボタン
13  戻るボタン
２  トップページ（広域エリアの選択画面）
21  選択ボタン
211  広域エリア名
212  広域エリアの特徴
22  ページ名
３  メニューページ
31  移動ボタン
32  地図の閲覧ボタン
33  モデルコースの選択ボタン
34  ジャンルの選択ボタン
４  エリアページ（中域エリアの選択画面）
41  広域エリア名
42  中域エリア名
43  選択ボタン
431  観光情報名
432  観光情報の特徴
44  360度のパノラマ写真からなる選択ボタン
５  店舗ページ
51  店舗の内外や特徴を表す写真
52  紹介文
53  地図
54  店舗の営業案内
55  登録ボタン
６  地図閲覧ページ
61  観光地図
62  位置情報ピン
【図１】
2018159820.tif 000003
【図２】
2018159820.tif 000004
【図３】
2018159820.tif 000005
【図４】
2018159820.tif 000006
【図５】
2018159820.tif 000007
【図６】
2018159820.tif 000008
【図７】
2018159820.tif 000009